(57)【要約】本発明は記録媒体の複写防止情報管理方法に関する。１回記録可能な光ディスクまたは再記録可能な光ディスク等のような光ディスクのデータ領域に複写防止情報により暗号化したデータストリームを記録すると共に、前記複写防止情報とドライブＩＤを前記光ディスクのキーロッカー内に共に記録する。光ディスクのデータストリームを再生する場合、光ディスクのキーロッカー内に記録されたドライブＩＤと光ディスクが挿入された光ディスクドライブ内で管理されるドライブＩＤの一致可否によって、複写防止情報を読み出し及び復号化する動作を選択的に遂行する。したがって、光ディスクに記録された放送プログラムのようなコンテンツが不法複製されることを防止することができる。
2006524408.tif 000002
【特許請求の範囲】
【請求項１】
記録媒体の複写防止情報管理方法において、
複写防止情報を基礎にしてデータストリームを暗号化して、記録媒体のデータ領域に記録して；そして
前記記録媒体の第１特定領域に前記データストリームを記録するドライブ内で管理されるドライブＩＤを記録することで構成されて、
ここで、前記複写防止情報は前記第１特定領域にあらかじめ記録されていて、前記記録媒体の第２特定領域には前記複写防止情報を復号化するためのヒドン・コードがあらかじめ記録されていることを特徴とする記録媒体の複写防止情報管理方法。
【請求項２】
前記記録媒体は１回記録可能な光ディスクまたは再記録可能な光ディスクであることを特徴とする、請求項１に記載の記録媒体の複写防止情報管理方法。
【請求項３】
前記ヒドン・コードはビット対ビット複写方式により複製されない低周波成分を有するウォーブル形状であることを特徴とする、請求項１に記載の記録媒体の複写防止情報管理方法。
【請求項４】
前記複写防止情報により暗号化したデータストリームは複製が許されないデジタル放送データストリームであることを特徴とする、請求項１に記載の記録媒体の複写防止情報管理方法。
【請求項５】
記録媒体の第１特定領域から読み出したドライブＩＤを、前記記録媒体を再生するドライブ内で管理されるドライブＩＤと比較する段階と；
前記比較結果一致する場合、前記記録媒体の第２特定領域から読み出したキーを利用して、前記第１特定領域に記録された複写防止情報を復号化する段階；及び
前記復号化された複写防止情報を利用して、前記記録媒体のデータ領域に暗号化して記録されたデータストリームを復号化する段階で構成される記録媒体の複写防止情報管理方法。
【請求項６】
前記ドライブ内で管理されるドライブＩＤと前記記録媒体から読み出されたドライブＩＤが一致しない場合、前記複写防止情報を復号化する動作を中止することを特徴とする、請求項５に記載の記録媒体の複写防止情報管理方法。
【請求項７】
前記第２特定領域のキーはビット対ビット複写方式により複製されない低周波成分を有するウォーブル形状で記録されたヒドン・コードであることを特徴とする、請求項５に記載の記録媒体の複写防止情報管理方法。
【請求項８】
複写防止情報により暗号化したデータストリームが記録されるデータ領域と；
前記複写防止情報と前記データストリームを記録媒体に記録するドライブの固有ＩＤが記録される第１特定領域；及び
前記第１特定領域内の複写防止情報を復号化するためのヒドン・コードが記録された第２特定領域で構成されることを特徴とする記録媒体。
【請求項９】
前記記録媒体は１回記録可能な光ディスクまたは再記録可能な光ディスクであることを特徴とする、請求項８に記載の記録媒体。
【請求項１０】
前記複写防止情報とヒドン・コードは前記記録媒体を製造する過程で記録されることを特徴とする、請求項８に記載の記録媒体。
【請求項１１】
前記ヒドン・コードはビット対ビット複写方式により複製されない低周波成分を有するウォーブル形状であることを特徴とする、請求項８に記載の記録媒体。
【請求項１２】
前記データ領域に記録されるデータストリームは複製が許されないデジタル放送データストリームであることを特徴とする、請求項８に記載の記録媒体。
【請求項１３】
記録媒体記録及び再生装置において、
前記記録媒体にデータを記録したり前記記録媒体からデータを読み出すピックアップ部と；
前記記録媒体の第１特定領域に暗号化して記録された複写防止情報を復号化する複写防止情報算出部と；
前記複写防止情報を利用して、前記記録媒体に記録されるデータを暗号化したり前記記録媒体から読み出されるデータを復号化するデータ処理部；及び
前記装置の固有ＩＤを保存する保存部を含んで構成されて、
ここで、前記記録媒体の第２特定領域には前記複写防止情報を復号化するためのヒドン・コードが記録されていて、前記記録媒体のデータ領域には前記複写防止情報により暗号化したデータストリームが記録されて、前記第１特定領域には前記データストリームを記録媒体に記録する装置の固有ＩＤがさらに記録されることを特徴とする記録媒体記録及び再生装置。
【請求項１４】
前記複写防止情報算出部は、
前記第１特定領域から読み出される装置のＩＤと前記保存部に保存されたＩＤを比較する比較部；及び
前記ＩＤが一致する場合、前記第２特定領域から読み出されるヒドン・コードを利用して、前記第１特定領域から読み出される複写防止情報を復号化する復号化部で構成されることを特徴とする、請求項１３に記載の記録媒体記録及び再生装置。
【請求項１５】
前記第２特定領域から読み出されるＩＤと前記保存部に保存されたＩＤが一致しない場合、前記復号化部では前記複写防止情報を復号化する動作を中止することを特徴とする、請求項１４に記載の記録媒体記録及び再生装置。
【請求項１６】
前記データ領域に記録されるデータストリームは複製が許されないデジタル放送データストリームであることを特徴とする、請求項１３に記載の記録媒体記録及び再生装置。
【請求項１７】
前記データ領域に複製が許されないデジタル放送データストリームを記録する場合、前記保存部に保存された固有ＩＤを前記記録媒体の第１特定領域にさらに記録することを特徴とする、請求項１３に記載の記録媒体記録及び再生装置。
【請求項１８】
前記記録媒体は１回記録可能な光ディスクまたは再記録可能な光ディスクであることを特徴とする、請求項１３に記載の記録媒体記録及び再生装置。
【請求項１９】
前記複写防止情報とヒドン・コードは前記記録媒体を製造する過程で記録されることを特徴とする、請求項１３に記載の記録媒体記録及び再生装置。
【発明の詳細な説明】
【技術分野】
【０００１】
本発明は記録媒体の複写防止情報管理方法に係り、さらに詳細には１回記録可能な光ディスクまたは再記録可能な光ディスク等のような光ディスクのデータ領域に暗号化して記録されたＡ／Ｖデータを復号化するための複写防止情報（Ｃｏｐｙ  Ｐｒｏｔｅｃｔｉｏｎ  Ｉｎｆｏｒｍａｔｉｏｎ）の保安性を向上させるための方法に関する。
【背景技術】
【０００２】
一般的にデジタルビデオ及びオーディオデータを記録することができる光ディスク、例えばＣＤとＤＶＤが広く普及されて商用化されており、またＢＤ等のような高密度光ディスクの規格化作業が急速に進展するによって、関連製品が商用化されることと期待されている。
【０００３】
一方、前記のような光ディスクに記録されたデジタルビデオ及びオーディオデータのコンテンツ（Ｃｏｎｔｅｎｔｓ）を無断で不法複製することができないようにするために、複写防止情報により暗号化したＡ／Ｖデータを光ディスクのデータ領域に記録して、前記複写防止情報を光ディスクのリードイン領域等のような特定領域に記録して管理する方法が提案されているが、これに対して詳細に説明すると次のようである。
【０００４】
図１は一般的なＤＶＤの複写防止情報管理方法が適用される光ディスクドライブとアプリケーションに対する構成を示したものである。前記光ディスクドライブ２００には、認証部（Ａｕｔｈｅｎｔｉｃａｔｉｏｎ  Ｂｌｏｃｋ）２０、キー分配部（Ｋｅｙ  Ｓｈａｒｉｎｇ  Ｂｌｏｃｋ）２１、そして暗号化部（ＥｎｃｒｙｐｔｉｏｎＢｌｏｃｋ）２２、２３等で構成されることができる。
【０００５】
個人用コンピューター（ＰＣ）等のようなアプリケーション３００には、認証部３０、キー分配部３１、復号化部（Ｄｅｃｒｙｐｔｉｏｎ  Ｂｌｏｃｋ）３２、３３、ディスクランブル部（Ｄｅｓｃｒａｍｂｌｅ  Ｂｌｏｃｋ）３４、デコンプレッション部（Ｄｅｃｏｍｐｒｅｓｓｉｏｎ  Ｂｌｏｃｋ）３８、ディスクキー復号化部３６、そしてタイトルキー復号化部３７等で構成されることができる。
【０００６】
そして、前記光ディスクドライブ２００に挿入されるＤＶＤ  １００には、認証コントロールキー（Ａｕｔｈｅｎｔｉｃａｔｉｏｎ  Ｃｏｎｔｒｏｌ  Ｋｅｙ）、セキュアドディスクキー（Ｓｅｃｕｒｅｄ  Ｄｉｓｃ  Ｋｅｙ）、エンクリプティッドタイトルキー（Ｅｎｃｒｙｐｔｅｄ  Ｔｉｔｌｅ  Ｋｅｙ）、そしてスクランブルドＡ／Ｖデータ（Ｓｃｒａｍｂｌｅｄ  Ａ／Ｖ  Ｄａｔａ）が保存されることができる。
【０００７】
一方、前記光ディスクドライブの認証部２０では、前記ＤＶＤ  １００から読み出される認証コントロールキーを利用して、前記アプリケーションの認証部３０とのデータ送受信のための一連の認証過程を遂行するようになる。前記暗号化部２２、２３では、前記キー分配部２１から提供する所定の暗号化キーを利用して、前記ＤＶＤ  １００から読み出されるセキュアドディスクキーとエンクリプティッドタイトルキーをデータ送受信に適合なデータで再び暗号化して伝送するようになる。
【０００８】
そして、前記アプリケーションの復号化部３２、３３では、前記キー分配部３１から提供する所定の復号化キーを利用して、前記光ディスクドライブ２００から受信されるセキュアドディスクキーとエンクリプティッドタイトルキーを復号化する一連の動作を遂行するようになる。
【０００９】
一方、前記ディスクキーは前記アプリケーション３００内で管理されるマスターキー３５により復号化されて、前記タイトルキーは前記復号化されたディスクキーにより復号化されて、前記ディスクランブル部３４では、前記タイトルキーを利用して、ＤＶＤから読み出されるスクランブルドＡ／Ｖデータをディスクランブル処理するようになって、前記デコンプレッション部３８では、ディスクランブル処理されたＡ／Ｖデータを非圧縮処理して、本来のＡ／Ｖデータで出力するようになる。このような過程を介して、前記ＤＶＤにスクランブル処理されて記録されたオーディオ及びビデオデータのコンテンツが無断で不法複製されることを防止することができるようになる。
【００１０】
しかし、前記ＤＶＤに記録されたセキュアドディスクキーとエンクリプティッドタイトルキーのような複写防止情報がハッカー（Ｈａｃｋｅｒ）等のような第３者により不法的にハッキングされて流出される場合、前記ＤＶＤのデータ領域に暗号化して記録されたＡ／Ｖデータの不法複製が可能になる。したがって、複写防止情報の保安性をより強化させることができる効率的な解決方案の用意が急に要求されており、特にデジタル放送プログラムのようなコンテンツに対する不法複製を防止することができる効率的な解決方案の用意が急に要求されている実情である。
【発明の概要】
【００１１】
本発明は前記のような実情を勘案して創作されたものであって、本発明の目的は、複写防止情報の保安性をより強化して、デジタル放送プログラムのようなコンテンツに対する不法複製を效率的に防止して、光ディスクドライブでデジタルコンテンツを記録した光ディスクを他の光ディスクドライブで再生することができないようにする方法を提供することにある。
【００１２】
前記のような目的を達成するための本発明による記録媒体の複写防止情報管理方法は、記録媒体のデータ領域にデータストリームを複写防止情報を基礎にして暗号化して記録して；そして前記記録媒体の第１特定領域に前記データストリームを記録するドライブ内で管理されるドライブＩＤを記録することで構成されて、ここで、前記複写防止情報は前記第１特定領域にあらかじめ記録されていて、前記記録媒体の第２特定領域には前記複写防止情報を復号化するためのヒドン・コードが記録されていることを特徴とする。
【００１３】
また、本発明の他の実施形態による記録媒体の複写防止情報管理方法は、記録媒体の第１特定領域から読み出したドライブＩＤを、前記記録媒体を再生するドライブ内で管理されるドライブＩＤと比較する段階と；前記比較結果一致する場合、前記記録媒体の第２特定領域から読み出したキーを利用して、前記第１特定領域に記録された複写防止情報を復号化する段階；及び前記復号化された複写防止情報を利用して、前記記録媒体のデータ領域に暗号化して記録されたデータストリームを復号化する段階で構成されることを特徴とする。
【００１４】
また、本発明による記録媒体は、複写防止情報により暗号化したデータストリームが記録されるデータ領域と；前記複写防止情報と前記データストリームを記録媒体に記録するドライブの固有ＩＤが記録される第１特定領域；及び前記第１特定領域内の複写防止情報を復号化するためのヒドン・コードが記録された第２特定領域で構成されることを特徴とする。
【００１５】
また、本発明による記録媒体記録及び再生装置は、前記記録媒体にデータを記録したり前記記録媒体からデータを読み出すピックアップ部；前記記録媒体の第１特定領域に暗号化して記録された複写防止情報を復号化する複写防止情報算出部と；前記複写防止情報を利用して、前記記録媒体に記録されるデータを暗号化したり前記記録媒体から読み出されるデータを復号化するデータ処理部；及び前記装置の固有ＩＤを保存する保存部を含んで構成されて、ここで、前記記録媒体の第２特定領域には前記複写防止情報を復号化するためのヒドン・コードが記録されていて、前記記録媒体のデータ領域には前記複写防止情報により暗号化したデータストリームが記録されて、前記第１特定領域には前記データストリームを記録媒体に記録する装置の固有ＩＤがさらに記録されることを特徴とする。
【発明を実施するための最良の形態】
【００１６】
以下、本発明による記録媒体の複写防止情報管理方法に対する望ましい実施形態に対して、添付した図面を参照しながら詳細に説明する。
【００１７】
図２は本発明による記録媒体の複写防止情報管理方法が適用される光ディスクドライブに対する構成を示したものである。前記光ディスクドライブ５００には、復号化部（Ｄｅｃｒｙｐｔｉｏｎ  Ｂｌｏｃｋ）５０とキー計算部（Ｋｅｙ  Ｃａｌｃｕｌａｔｉｏｎ）５１が含まれて、光ディスクドライブに割り当てられた固有のＩＤ、例えばドライブＩＤ（Ｄｒｉｖｅ  ＩＤ）５２が管理されることができる。
【００１８】
また、前記光ディスクドライブ５００に挿入される光ディスク４００には、複写防止情報、例えば暗号化したディスクキー（Ｄｉｓｃ  Ｋｅｙ）がキーロッカー（Ｋｅｙ  Ｌｏｃｋｅｒ）内に記録されると共に、前記ディスクキーを読み出し及び復号化するためのヒドン・コード（Ｈｉｄｄｅｎ  Ｃｏｄｅ）が光ディスクの特定領域、例えば光ディスクのリードイン領域（Ｌｅａｄ−Ｉｎ  Ａｒｅａ）上のＰｒｅ−ｒｅｃｏｒｄｅｄ（またはｅｍｂｏｓｓｅｄ）ａｒｅａにＰｒｅ−ｒｅｃｏｒｄｅｄ  ｔｙｐｅで記録される。
【００１９】
一方、前記キーロッカーに記録されるディスクキーの保安性を向上させるために、前記キーロッカー内にドライブＩＤを共に記録する。そして、前記ドライブＩＤと光ディスクドライブ内で管理されるドライブＩＤが相互に一致する場合、前記ヒドン・コードを利用してキーロッカー内に記録されたディスクキーを読み出し及び復号化して、前記キーロッカー内に記録されたドライブＩＤと光ディスクドライブ内で管理されるドライブＩＤが相互に一致しない場合には、前記ディスクキーを読み出し及び復号化する動作を中止させる。
【００２０】
また、前記光ディスクドライブのキー計算部５１は、図３に示したように、前記キーロッカー内に記録されたドライブＩＤと光ディスクドライブ内で管理されるドライブＩＤを相互比較するための比較部（Ｃｏｍｐａｒｉｓｏｎ）（未符号）と、比較結果によって、前記キーロッカー内に記録されたディスクキーを選択的に読み出し及び復号化するための復号化部（Ｄｅｃｒｙｐｔｉｏｎ）（未符号）で構成されることができる。
【００２１】
前記ドライブＩＤ（Ｄｒｉｖｅ  ＩＤ）は、光ディスクドライブによって相異なる値に管理されることができることであって、例えば光ディスクドライブを製造したメーカー別ＩＤ（Ｄｒｉｖｅ  Ｍａｋｅｒ_ＩＤ）にしたがって相異なる固有のドライブＩＤが管理されることができる。
【００２２】
一方、前記光ディスクドライブ５００は、図４に示したように、保安認証チャネル（ＳＡＣ：Ｓｅｃｕｒｅ  Ａｕｔｈｅｎｔｉｃａｔｅｄ  Ｃｈａｎｎｅｌ）７０を介してデータを送受信するようになるアプリケーション６００、例えば個人用コンピューター等と連結されて使われることができる。前記アプリケーション６００には、前記保安認証チャネルを介して受信されたＡ／ＶデータをデコーディングするためのＡ／Ｖデコーダー６０が含まれる。
【００２３】
また、前記アプリケーション６００内にはアプリケーションＩＤ  ６１が管理されて、前記光ディスクドライブ５００内にはアプリケーションＩＤモジュール５３が含まれることができる。この場合、前記アプリケーションＩＤモジュール５３では、前記アプリケーション内で管理されるアプリケーションＩＤ  ６１を前記保安認証チャネル７０を介して受信した後、前記キー計算部５１に提供するようになる。
【００２４】
前記光ディスクドライブのキー計算部５１では、光ディスク４００のキーロッカー内に記録されたアプリケーションＩＤと前記光ディスクドライブまたはアプリケーション内で管理されるアプリケーションＩＤを比較して、一致する場合に限って前記キーロッカーに記録されたディスクキーを前記ヒドン・コードを利用して読み出して復号化するようになる。
【００２５】
そして、前記復号化部５０では、前記ディスクキーを利用して、光ディスクのデータ領域に暗号化して記録されたオーディオ及びビデオデータを復号化する一連の動作を遂行した後、前記保安認証チャネル（ＳＡＣ）７０を介してオーディオ及びビデオデータをアプリケーション６００に出力するようになる。
【００２６】
前記アプリケーションに含まれたＡ／Ｖデコーダー６０では、前記のような過程を介して受信されるオーディオ及びビデオデータをデコーディングして、オーディオ及びビデオで復元するようになる。このような過程を介して、光ディスクに記録されたオーディオ及びビデオデータが正常的に再生される。
【００２７】
一方、前記アプリケーション内に含まれるＡ／Ｖデコーダー６０は、図５に示したように、光ディスクドライブ５００内に含まれることができる。この場合、前記光ディスクドライブでは、前記保安認証チャネル７０を介して、アプリケーション６００でデコーディングが完了したオーディオ及びビデオデータを出力するようになるので、図４に示したように、オーディオ及びビデオのビットストリームをアプリケーションに直接伝送する場合に比べて、複写防止情報のハッキング危険性を減少させることができるようになる。
【００２８】
前記のような場合には、図５に示したように、光ディスクドライブ５００内にはアプリケーションＩＤモジュール５３の代わりにドライブＩＤ  ５２が管理される。
【００２９】
前記のようにキーロッカー内にディスクキーとドライブＩＤが共に記録されて光ディスクの特定領域にヒドン・コードが記録される光ディスクは、１回記録可能な光ディスクまたは再記録可能な光ディスクになることができる。
【００３０】
例えば、不法複製が禁止されているデジタル放送プログラム等のようなコンテンツを１回記録可能な光ディスクまたは再記録可能な光ディスクに記録する場合、前記光ディスクドライブ５００では、デジタル放送を介して受信されるデータストリームを複写防止情報を利用して暗号化して、暗号化したデータストリームを光ディスクのデータ領域に記録するようになる。そして、前記光ディスクドライブに管理されるドライブＩＤを、前記複写防止情報が記録された、前記光ディスクの特定領域のキーロッカー内に記録するようになる。前記複写防止情報であるディスクキーとそのディスクキーを読み出し及び復号化するためのヒドン・コードは、光ディスクを製造する過程であらかじめ記録されることができる。
【００３１】
前記のようなデータ記録動作によって放送データストリームが暗号化して記録された光ディスクには、前述したように、複写防止情報とドライブＩＤがキーロッカー内に共に記録され、また複写防止情報を復号化するためのヒドン・コードが記録されている。したがって、図２ないし図５を参照しながら前述したことがある一連の動作を遂行して、ドライブＩＤが相互に一致しない場合再生動作が遂行されることを未然に防止することができるようになる。
【００３２】
参考に、前記ヒドン・コードは、光ディスク上に低周波成分を有する物理的なウォーブル（Ｗｏｂｂｌｅ）形状またはＷｏｂｂｌｅ  ｐｒｅ−ｐｉｔ  ｔｙｐｅ等で記録されて、ビット対ビット（Ｂｉｔ  ｔｏ  Ｂｉｔ）複写により不法複製されない。また、前記ドライブキー、キーロッカーに含まれるディスクキー等もヒドン・コードのようにリードイン領域上に低周波成分を有する物理的なウォーブル形状またはＷｏｂｂｌｅ  ｐｒｅ−ｐｉｔ  ｔｙｐｅで記録されることができる。この時ドライブＩＤは前記キーロッカー内のＲｅｃｏｒｄａｂｌｅ  Ａｒｅａ  ｏｒ  Ｒｅｗｒｉｔａｂｌｅ  ＡｒｅａにＷｏｂｂｌｅｄ  ｔｒａｃｋに沿ってＰｉｔ形態で記録される。一方、前記ヒドン・コードとドライバーキーにより暗号化するキーロッカー内には、ディスクキーのような複写防止情報以外にも、多様な付加情報が暗号化して記録されることができる。
【００３３】
前記のように構成される本発明は、複写防止情報に対する保安性が向上して、デコーディングされたデジタルプレーンデータが露出されないようにして、デジタル放送プログラムのようなコンテンツが不法で複製されることを防止して、光ディスクドライブでデジタルコンテンツを記録した光ディスクが他の光ディスクドライブで再生されない効果がある。
【００３４】
以上前述した本発明の望ましい実施形態は例示の目的のために開示されたものであって、当業者ならば添付された特許請求範囲に開示された本発明の技術的思想とその技術的範囲内でまた他の多様な実施形態を改良、変更、代替または付加などが可能であることである。
【図面の簡単な説明】
【００３５】
【図１】一般的なＤＶＤの複写防止情報管理方法が適用される光ディスクドライブとアプリケーションに対する構成を示したものである。
【図２】本発明による記録媒体の複写防止情報管理方法が適用される光ディスクドライブに対する構成を示したものである。
【図３】本発明による記録媒体の複写防止情報管理方法が適用される光ディスクドライブに対する構成を示したものである。
【図４】本発明による記録媒体の複写防止情報管理方法が適用される光ディスクドライブとアプリケーションに対する他の実施形態の構成を示したものである。
【図５】本発明による記録媒体の複写防止情報管理方法が適用される光ディスクドライブとアプリケーションに対する他の実施形態の構成を示したものである。
【図１】
2006524408.tif 000003
【図２】
2006524408.tif 000004
【図３】
2006524408.tif 000005
【図４】
2006524408.tif 000006
【図５】
2006524408.tif 000007
【国際調査報告】
2006524408.tif 000008
2006524408.tif 000009